(57)【特許請求の範囲】
【請求項１】
ステータに設けられた界磁コイルに直列に、電源側端子・接地側端子間が接続されたスイッチ素子の制御端子への信号により、前記界磁コイルへの通電をＯＮ／ＯＦＦして、その界磁コイルにより作られる回転磁界によって永久磁石を備えたロータを回転させると共に、前記スイッチ素子の電源側端子・接地側端子間に並列に、ピーク電流吸収用のコンデンサが接続されるブラシレス直流ファンモータのドライブ回路において、
前記界磁コイルと、前記スイッチ素子の電源側端子・接地側端子間との間に、コンデンサ放電用の抵抗が介挿接続され、
前記コンデンサは、前記抵抗と、前記スイッチ素子の電源側端子・接地側端子間との直列回路に並列に接続されることを特徴とするブラシレス直流ファンモータのドライブ回路。
【請求項２】
界磁コイルとコンデンサの接続点と、スイッチ素子の制御端子との間に、その間の極性とは逆方向にツェナダイオードが接続されることを特徴とする請求項１に記載のブラシレス直流ファンモータのドライブ回路。
【請求項３】
コンデンサの両端間に、その両端間の極性とは逆方向にツェナダイオードが接続されることを特徴とする請求項１に記載のブラシレス直流ファンモータのドライブ回路。
【発明の詳細な説明】
【０００１】
【発明の属する技術分野】
本発明は、電子機器筐体内の発生熱の放熱用送風機として好適なブラシレス直流ファンモータに係り、特にそのドライブ回路に関するものである。
【０００２】
【従来の技術】
例えば、パーソナルコンピュータやコピー機等のＯＡ機器のように、多数の電子部品を比較的狭い筐体内に収容した電子機器においては、上記電子部品から発生する熱が筐体内にこもり、電子部品を熱破損させる虞がある。
そこで、このような電子機器の筐体の壁面や天井面に通気口を設け、その通気口にファンモータを取り付けて筐体内の熱を外部に排出するようにしている。
【０００３】
この種のファンモータに、ブラシレス直流ファンモータを用いることが少なくないが、このようなブラシレス直流ファンモータを駆動する従来のドライブ回路を図４に示す。
この図において、４１がブラシレス直流ファンモータのドライブ回路で、ここでは、２相ユニポーラ駆動型のブラシレス直流ファンモータ４２におけるドライブ回路を示している。＋，−は直流電源の正，負極を示す。
【０００４】
図示するように、ブラシレス直流ファンモータ４２は、界磁コイル（モータコイル）Ｌ１，Ｌ２を備える。この界磁コイルＬ１，Ｌ２はステータ（図示せず）に備えられ、ドライブ回路４１のスイッチ素子、ここではＮＰＮ形トランジスタＴ３，Ｔ４により交互に切換通電されて回転磁界を作る。ファンモータ４２のロータ（図示せず）には永久磁石が備えられ、この永久磁石が上記回転磁界に追従して回転することにより、上記ロータが回転する。
【０００５】
ドライブ回路４１は、制御回路ＣＣ、抵抗Ｒ１〜Ｒ９、ＰＮＰ形トランジスタＴ１，Ｔ２、ツェナダイオードＺＤ１〜ＺＤ４、ダイオードＤ１，Ｄ２及び上記トランジスタＴ３，Ｔ４により構成されている。
【０００６】
制御回路ＣＣは、上記ロータ（永久磁石）の位置検出用のホール素子４３からの信号を受けて、トランジスタＴ３，Ｔ４をＯＮ／ＯＦＦ制御するための信号を出力する。すなわち、制御回路ＣＣの出力信号は、トランジスタＴ１，Ｔ２によって極性反転及び増幅された後、トランジスタＴ３，Ｔ４に入力され、このトランジスタＴ３，Ｔ４をＯＮ／ＯＦＦ制御する。
これにより、界磁コイルＬ１，Ｌ２が上記ロータの位置に応じて交互に切換通電されて回転磁界を作り、そのロータが上述したように回転し、上記筐体内の熱を外部に排出する。
【０００７】
ところで、このようなファンモータにおいて、界磁コイルＬ１，Ｌ２には、その通電のＯＦＦ時に高電圧が発生（周期的に高電圧が発生）し、トランジスタＴ３，Ｔ４等の素子を破壊する虞がある。
そこで上述従来回路では、図示するようにトランジスタＴ３，Ｔ４のコレクタとベースの間に各々ツェナダイオードＺＤ１，ＺＤ２及びＺＤ３，ＺＤ４を接続し、上記高電圧の発生を抑制している。
【０００８】
しかし、このようにツェナダイオードＺＤ１，ＺＤ２及びＺＤ３，ＺＤ４を接続していても、図４に示す従来回路では、界磁コイルＬ１，Ｌ２への通電のＯＦＦ時に、トランジスタＴ３，Ｔ４のコレクタ側にも急峻なピーク電流が流れ、騒音発生の原因になっている。
またモータ起動時にも、トランジスタＴ３，Ｔ４のコレクタ側に急峻なピーク電流が流れ、これも騒音発生の原因になっている。
【０００９】
図５は、上述したような、トランジスタＴ３，Ｔ４のコレクタ側への急峻なピーク電流の抑制を図った従来回路を示す図である。
この図５において、図４と同一部分に同一符号を付して説明すると、ここでは、図４中のトランジスタＴ３，Ｔ４のコレクタとエミッタの間にコンデンサＣ１，Ｃ２を並列接続している。
【００１０】
これによると、図５に示す従来回路において、トランジスタＴ３，Ｔ４のコレクタ側に流れようとする急峻なピーク電流はコンデンサＣ１，Ｃ２側に流れて吸収される。したがって、図４に示す従来回路に比べ、上記急峻なピーク電流による騒音発生は緩和される。
【００１１】
【発明が解決しようとする課題】
しかしながら、図５に示す従来回路においても、騒音発生の抑制効果は充分でなかった。
すなわち、コンデンサＣ１，Ｃ２によれば、確かにトランジスタＴ３，Ｔ４のコレクタ側に流れようとする急峻なピーク電流は吸収される。したがって、急峻なピーク電流がトランジスタＴ３，Ｔ４のコレクタ側に流れることによる騒音発生は抑制される。
しかし、急峻なピーク電流がコンデンサＣ１，Ｃ２側に流れた後のトランジスタＴ３，Ｔ４のＯＮ時には、トランジスタＴ３，Ｔ４のコレクタ側に、コンデンサＣ１，Ｃ２の急峻な放電電流が流れる。
図５に示す従来回路では、このような放電電流が流れることによる騒音発生が新たに問題となり、これは、コンデンサＣ１，Ｃ２にチップコンデンサ（図示せず）を用いた場合に顕著であった。
【００１２】
そこで、コンデンサＣ１，Ｃ２にチップコンデンサを用いないということも１つの解決方法として挙げられる。しかし、ドライブ回路基板の小型化の要請等からは、コンデンサＣ１，Ｃ２にチップコンデンサ（図示せず）を用いることが多く、いずれにしても従来、コンデンサＣ１，Ｃ２から急峻な放電電流が生じることによる騒音発生の抑制、低騒音化が強く望まれていた。
【００１３】
本発明は、上記のような要望に鑑みなされたもので、界磁コイルの通電ＯＦＦ時やモータ起動時等に生ずる急峻なピーク電流、更にはピーク電流吸収用のコンデンサを設けた場合に生ずる急峻な放電電流に起因する騒音等、種々の騒音の発生を抑制し、低騒音化を実現できるブラシレス直流ファンモータのドライブ回路を提供することを目的とする。
【００１４】
【課題を解決するための手段】
上記目的を達成するために、請求項１に記載の発明は、ステータに設けられた界磁コイルに直列に、電源側端子・接地側端子間が接続されたスイッチ素子の制御端子への信号により、前記界磁コイルへの通電をＯＮ／ＯＦＦして、その界磁コイルにより作られる回転磁界によって永久磁石を備えたロータを回転させると共に、前記スイッチ素子の電源側端子・接地側端子間に並列に、ピーク電流吸収用のコンデンサが接続されるブラシレス直流ファンモータのドライブ回路において、前記界磁コイルと、前記スイッチ素子の電源側端子・接地側端子間との間に、コンデンサ放電用の抵抗が介挿接続され、前記コンデンサは、前記抵抗と、前記スイッチ素子の電源側端子・接地側端子間との直列回路に並列に接続されることを特徴とする。
「前記界磁コイルと、前記スイッチ素子の電源側端子・接地側端子間との間に、コンデンサ放電用の抵抗が介挿接続」されると、電源側から接地側に向けて、界磁コイル、抵抗及びスイッチ素子の電源側端子・接地側端子間、の順序で接続された直列回路（界磁コイルの通電路）が構成される。前記コンデンサは、このような直列回路中の、抵抗及びスイッチ素子の電源側端子・接地側端子間、からなる直列回路（界磁コイルの通電路）部分に並列に接続される。
また、「前記コンデンサは、前記抵抗と、前記スイッチ素子の電源側端子・接地側端子間との直列回路に並列に接続される」。これは、前記コンデンサが、前記抵抗を介して前記スイッチ素子の電源側端子・接地側端子間に並列に接続されることをも意味し、請求項１の前段における、「スイッチ素子の電源側端子・接地側端子間に並列に、ピーク電流吸収用のコンデンサが接続される」構成に整合する。
【００１５】
請求項２に記載の発明は、請求項１に記載の発明において、界磁コイルとコンデンサの接続点と、スイッチ素子の制御端子との間に、その間の極性とは逆方向にツェナダイオードが接続されることを特徴とする。
請求項３に記載の発明は、請求項１に記載の発明において、コンデンサの両端間に、その両端間の極性とは逆方向にツェナダイオードが接続されることを特徴とする。
【００１６】
【発明の実施の形態】
以下、本発明の実施の形態を図面に基づき説明する。
図１は、本発明によるブラシレス直流ファンモータのドライブ回路の一実施形態を示す回路図である。
この図において、４１がブラシレス直流ファンモータのドライブ回路で、ここでは、２相ユニポーラ駆動型のブラシレス直流ファンモータ４２におけるドライブ回路を示している。＋，−は直流電源の正，負極を示す。
【００１７】
図示するように、ブラシレス直流ファンモータ４２は、界磁コイル（モータコイル）Ｌ１，Ｌ２を備える。この界磁コイルＬ１，Ｌ２はステータ（図示せず）に備えられ、ドライブ回路４１のスイッチ素子、ここではＮＰＮ形トランジスタＴ３，Ｔ４により交互に切換通電されて回転磁界を作る。ファンモータ４２のロータ（図示せず）には永久磁石が備えられ、この永久磁石が上記回転磁界に追従して回転することにより、上記ロータが回転する。
【００１８】
ドライブ回路４１は、制御回路ＣＣ、抵抗Ｒ１〜Ｒ１１、ＰＮＰ形トランジスタＴ１，Ｔ２、ツェナダイオードＺＤ１〜ＺＤ４、ダイオードＤ１，Ｄ２、ピーク電流吸収用のコンデンサＣ１，Ｃ２及び上記トランジスタＴ３，Ｔ４により構成されている。ＰＮＰ形トランジスタＴ１，Ｔ２は極性反転及び増幅用、ダイオードＤ１，Ｄ２は逆流阻止用、抵抗Ｒ１０，Ｒ１１はコンデンサ放電用、コンデンサＣ１，Ｃ２はピーク電流吸収用である。
【００１９】
ここで制御回路ＣＣは、上記ロータ（永久磁石）の位置検出用のホール素子４３からの信号を増幅するアンプ部ＡＭＰ、このアンプ部ＡＭＰからの信号が入力されてトランジスタＴ３，Ｔ４のＯＮ／ＯＦＦ制御用の信号を生成するコントローラ部ＣＴＲ及びこのコントローラ部ＣＴＲからの信号をトランジスタＴ１，Ｔ２に与える出力部ＯＣを備えてなる。
【００２０】
ＰＮＰ形トランジスタＴ１は、ベースが抵抗Ｒ３を介して制御回路ＣＣの第１出力端子ＯＵＴ１に接続されると共に、抵抗Ｒ２，Ｒ１及び逆方向ダイオードＤ２を順に介して直流電源の正極＋に接続される。このトランジスタＴ１のコレクタは、抵抗Ｒ４及びＲ５を順に介して接地される。
ＰＮＰ形トランジスタＴ２は、ベースが抵抗Ｒ９を介して制御回路ＣＣの第２出力端子ＯＵＴ２に接続されると共に、抵抗Ｒ８を介して抵抗Ｒ１とＲ２の接続点に接続される。このトランジスタＴ２のコレクタは、抵抗Ｒ６及びＲ７を順に介して接地される。
トランジスタＴ１，Ｔ２のエミッタは、共通接続されて抵抗Ｒ２とＲ８の接続点に接続される。
【００２１】
ＮＰＮ形トランジスタ（スイッチ素子）Ｔ３は、ベース（制御端子）が抵抗Ｒ４とＲ５の接続点に接続され、エミッタ（接地側端子）が接地される。このトランジスタＴ３のコレクタ（電源側端子）は、抵抗Ｒ１０、界磁コイルＬ１及び逆方向ダイオードＤ１を順に介して直流電源の正極＋に接続される。すなわち本発明では、界磁コイルＬ１と、トランジスタＴ３のコレクタ・エミッタ間との間（界磁コイルＬ１の通電路：トランジスタＴ３のコレクタ電流通電路）には、コンデンサ放電用の抵抗Ｒ１０が接続されている。
【００２２】
ＮＰＮ形トランジスタ（スイッチ素子）Ｔ４は、ベース（制御端子）が抵抗Ｒ６とＲ７の接続点に接続され、エミッタ（接地側端子）が接地される。このトランジスタＴ４のコレクタ（電源側端子）は、抵抗Ｒ１１及び界磁コイルＬ２を順に介して、ダイオードＤ１及び界磁コイルＬ１の接続点に接続される。すなわち本発明では、界磁コイルＬ２と、トランジスタＴ４のコレクタ・エミッタ間との間（界磁コイルＬ２の通電路：トランジスタＴ４のコレクタ電流通電路）には、コンデンサ放電用の抵抗Ｒ１１が接続されている。
【００２３】
ツェナダイオードＺＤ１，ＺＤ２は、同方向に直列接続され、界磁コイルＬ１と抵抗Ｒ１０（コンデンサＣ１）の接続点と、トランジスタＴ３のベースとの間に、界磁コイルＬ１と抵抗Ｒ１０の接続点からみて逆方向に介挿接続されている。
またコンデンサＣ１は、界磁コイルＬ１及び抵抗Ｒ１０の接続点と、トランジスタＴ３のエミッタとの間に、つまり、抵抗Ｒ１０とトランジスタＴ３のコレクタ・エミッタ間との直列回路に並列に、接続されている。すなわち本発明では、コンデンサＣ１はトランジスタＴ３のコレクタ・エミッタ間（スイッチ部）に対して、従来回路（図５参照）のように直接に並列接続されるのではなく、コンデンサ放電用の抵抗Ｒ１０を介して並列接続されている。
【００２４】
ツェナダイオードＺＤ３，ＺＤ４は、同方向に直列接続され、界磁コイルＬ２と抵抗Ｒ１１（コンデンサＣ２）の接続点と、トランジスタＴ４のベースとの間に、界磁コイルＬ２と抵抗Ｒ１１の接続点からみて逆方向に介挿接続されている。
またコンデンサＣ２は、界磁コイルＬ２及び抵抗Ｒ１１の接続点と、トランジスタＴ４のエミッタとの間に、つまり、抵抗Ｒ１１とトランジスタＴ４のコレクタ・エミッタ間との直列回路に並列に、接続されている。すなわち本発明では、コンデンサＣ２はトランジスタＴ４のコレクタ・エミッタ間（スイッチ部）に対して、従来回路（図５参照）のように直接に並列接続されるのではなく、コンデンサ放電用の抵抗Ｒ１１を介して並列接続されている。
【００２５】
次に、上述本発明回路の動作について図２を併用して説明する。
制御回路ＣＣは、上記ロータ（永久磁石）の位置検出用のホール素子４３からの信号を受けて、トランジスタＴ３，Ｔ４をＯＮ／ＯＦＦ制御するための信号を出力端子ＯＵＴ１，ＯＵＴ２から出力する。
【００２６】
制御回路ＣＣからの出力信号は、極性反転及び増幅用のトランジスタＴ１，Ｔ２に入力され、このトランジスタＴ１，Ｔ２がトランジスタＴ３，Ｔ４をＯＮ／ＯＦＦ制御する。
すなわち、制御回路ＣＣの出力端子ＯＵＴ１からの信号が低レベルであればトランジスタＴ１がＯＮし、直流電源の正極＋から電流が、ダイオードＤ２、抵抗Ｒ１、トランジスタＴ１のエミッタ・コレクタ間（スイッチ部）、抵抗Ｒ４及びＲ５を介して直流電源の負極−に流れる。
これにより、ベース電位が上昇したトランジスタＴ３がＯＮし、直流電源の正極＋から、ダイオードＤ１、界磁コイルＬ１及びトランジスタＴ３のコレクタ・エミッタ間（スイッチ部）を介して直流電源の負極−に向かって電流が流れ、界磁コイルＬ１から磁束が発生する。
以上の動作は、制御回路ＣＣの出力端子ＯＵＴ１からの信号が高レベルに変化するまで継続する。
【００２７】
制御回路ＣＣの出力端子ＯＵＴ２からの信号が低レベルであればトランジスタＴ２がＯＮし、直流電源の正極＋から電流が、ダイオードＤ２、抵抗Ｒ１、トランジスタＴ２のエミッタ・コレクタ間（スイッチ部）、抵抗Ｒ６及びＲ７を介して直流電源の負極−に流れる。
これにより、ベース電位が上昇したトランジスタＴ４がＯＮし、直流電源の正極＋から、ダイオードＤ１、界磁コイルＬ２及びトランジスタＴ４のコレクタ・エミッタ間（スイッチ部）を介して直流電源の負極−に向かって電流が流れ、界磁コイルＬ２から磁束が発生する。
以上の動作は、制御回路ＣＣの出力端子ＯＵＴ２からの信号が高レベルに変化するまで継続する。
【００２８】
ここで、トランジスタＴ１，Ｔ２のベースへの上記低レベルの信号は、ホール素子４３からの信号を受けた制御回路ＣＣが、その出力端子ＯＵＴ１，ＯＵＴ２から適宜の間隔、時間で交互に出力する。したがって、界磁コイルＬ１，Ｌ２への通電も同様に交互に行われ、界磁コイルＬ１，Ｌ２は回転磁界を生成する。
これにより、ファンモータ４２のロータが上述したように回転し、上記筐体内の熱を外部に排出する。
【００２９】
ツェナダイオードＺＤ１，ＺＤ２及びＺＤ３，ＺＤ４は、界磁コイルＬ１，Ｌ２の通電ＯＦＦ時に発生する高電圧（周期的に発生する高電圧）によるトランジスタＴ３，Ｔ４等の素子の破壊を抑制する。
すなわち、上記ＯＦＦ時の高電圧により、ツェナダイオードＺＤ１，ＺＤ２；ＺＤ３，ＺＤ４の両端間電圧が各々所定値以上に上昇すると、それら両端間が導通して図２中の矢印イ，イ’に示すように電流が流れ、トランジスタＴ３，Ｔ４等の素子の破壊を抑制する。これについては、図４，図５に示す従来回路と変わらない。
【００３０】
またコンデンサＣ１，Ｃ２も、上記ＯＦＦ時の高電圧により、トランジスタＴ３，Ｔ４のコレクタ側に流れようとする急峻なピーク電流（図２中の矢印ロ，ロ’参照）を、自身の側に流して（同図中の矢印ハ，ハ’参照）吸収し、騒音発生を緩和する。これについては、図５に示す従来回路と変わらない。
【００３１】
本発明回路では、図１から分かるように、コンデンサＣ１は抵抗Ｒ１０を介してトランジスタＴ３のコレクタ・エミッタ間（スイッチ部）に並列接続されている。またコンデンサＣ２も、抵抗Ｒ１１を介してトランジスタＴ４のコレクタ・エミッタ間（スイッチ部）に並列接続されている。
これによれば、急峻なピーク電流がコンデンサＣ１，Ｃ２側に流れた後のトランジスタＴ３，Ｔ４のＯＮ時における、トランジスタＴ３，Ｔ４のコレクタ側へのコンデンサＣ１，Ｃ２の放電電流は、図２中の矢印ニ，ニ’に示すように抵抗Ｒ１０，Ｒ１１を介して流れることになる。したがって、上記放電電流はピークが緩和された（急峻でない）電流となり、急峻な放電電流が流れることによる騒音発生はなくなり、低騒音化を実現できる。このことは、コンデンサＣ１，Ｃ２にチップコンデンサ（図示せず）を用いた場合でも同様である。
【００３２】
モータ起動時にも、トランジスタＴ３，Ｔ４のコレクタ側に急峻なピーク電流が流れ、これも騒音発生の原因になっている。この場合も、コンデンサＣ１，Ｃ２や抵抗Ｒ１０，Ｒ１１によってピークが緩和された（急峻でない）電流となり、したがって、急峻な放電電流が流れることによる騒音発生はなくなり、低騒音化を実現できる。
【００３３】
上述実施形態では、ツェナダイオードＺＤ１，ＺＤ２；ＺＤ３，ＺＤ４を、界磁コイルＬ１，Ｌ２と抵抗Ｒ１０，Ｒ１１（コンデンサＣ１，Ｃ２）の接続点と、トランジスタＴ３，Ｔ４のベースとの間に接続したが、図３に示すように、コンデンサＣ１，Ｃ２の両端間に接続してもよい。界磁コイルＬ１，Ｌ２の通電のＯＦＦ時に発生する電圧の値によっては、ツェナダイオードＺＤ１，ＺＤ２；ＺＤ３，ＺＤ４を省略し、あるいはツェナダイオードを各１個（例えばＺＤ１，ＺＤ３）としてもよい。
なお図３において、ホ，ホ’は界磁コイルＬ１，Ｌ２からの急峻なピーク電流を示す。その他、図３において、図１及び図２と同一又は相当部分には同一符号を付した。
【００３４】
また上述実施形態では、スイッチ素子にＮＰＮ形トランジスタを用いたが、ＰＮＰ形トランジスタを用いてもよく、あるいはＦＥＴ等を用いてもよい。
更に、適用されるブラシレス直流ファンモータも２相ユニポーラ駆動型に限らない。
【００３５】
【発明の効果】
以上述べたように請求項１に記載の発明は、界磁コイルに直列に、電源側端子・接地側端子間（スイッチ部）が接続されたスイッチ素子の制御端子への信号により、界磁コイルへの通電をＯＮ／ＯＦＦして、その界磁コイルにより作られる回転磁界によって永久磁石を備えたロータを回転させるブラシレス直流ファンモータのドライブ回路であって、前記スイッチ部にピーク電流吸収用のコンデンサを並列接続する場合に、界磁コイルとスイッチ部の間にコンデンサ放電用の抵抗を接続し、前記ピーク電流吸収用のコンデンサを、前記コンデンサ放電用の抵抗とスイッチ部との直列回路に並列に接続（コンデンサ放電用の抵抗を介してスイッチ部に並列接続）した。
これによれば、界磁コイルの通電ＯＦＦ時やモータ起動時等に発生する急峻なピーク電流がコンデンサによって吸収され、騒音発生が抑制される。加えて、ピーク電流を吸収したコンデンサの、スイッチ素子ＯＮ時における急峻な放電電流は抵抗を介して流れることになり、ピークが緩和された（急峻でない）電流になるというように、種々の原因による騒音発生が抑制され、充分な低騒音化が実現できる。
【００３６】
また請求項２に記載の発明では、界磁コイルとコンデンサの接続点と、スイッチ素子の制御端子との間に、その間の極性とは逆方向にツェナダイオードを接続した。
また請求項３に記載の発明では、コンデンサの両端間に、その両端間の極性とは逆方向にツェナダイオードを接続した。
これらによれば、界磁コイルの通電ＯＦＦ時に発生する高電圧に対して、広い範囲（値）で電圧抑制効果が得られ、スイッチ素子の電源側端子（スイッチ部）に流れ込む電流のピーク値が抑えられて、騒音発生の抑制効果をより高めることができる。
【図面の簡単な説明】
【図１】本発明のドライブ回路の一実施形態を示す回路図である。
【図２】同上回路の動作説明図である。
【図３】同上回路の他の実施形態の要部を示す回路図である。
【図４】従来回路（その１）を示す図である。
【図５】従来回路（その２）を示す図である。
【符号の説明】
４１  ブラシレス直流ファンモータのドライブ回路
４２  ブラシレス直流ファンモータ（２相ユニポーラ駆動型）
４３  ホール素子
Ｌ１，Ｌ２  界磁コイル
Ｔ３，Ｔ４  ＮＰＮ形トランジスタ（スイッチ素子）
Ｃ１，Ｃ２  ピーク電流吸収用のコンデンサ
Ｒ１０，Ｒ１１  コンデンサ放電用の抵抗
ＺＤ１〜ＺＤ４  ツェナダイオード
【図１】
0003911663.tif 000002
【図２】
0003911663.tif 000003
【図３】
0003911663.tif 000004
【図４】
0003911663.tif 000005
【図５】
0003911663.tif 000006